(57)【要約】【課題】  配線作業や配線の保守点検を容易に行うことができる電子装置の提供。【解決手段】  プリント回路基板と、外線端子台と、天井部及び二つの側壁部により形成された断面コ字型の架台とを収納し、プリント回路基板は架台の天井部に懸架され、外線端子台はプリント回路基板と対向する位置に配置固定されている電子装置であって、架台は、前記プリント回路基板を懸架する天井部を有する上部分と上部分を支持する下部分とに二つの側壁部で分割されており、プリント回路基板を懸架する天井部を有する上部分が回動自在となるように、上部分の一方の側壁部を前記下部分の一方の側壁部に取り付けた構造とする。【選択図】        図１
2005310877.tif 000002
【特許請求の範囲】
【請求項１】
筐体及び前記筐体に嵌合する蓋体から形成されるケーシング内に、プリント回路基板と、
前記プリント回路基板とケーシング外部の電気機器とを電気的に接続するための外線端子台と、天井部及び二つの側壁部により形成された断面コ字型の架台とを収納し、前記プリント回路基板は前記架台の天井部に懸架され、前記外線端子台は前記プリント回路基板と対向する位置に配置固定されている電子装置であって、前記架台は、前記プリント回路基板を懸架する天井部を有する上部分と前記上部分を支持する下部分とに前記二つの側壁部で分割されており、前記プリント回路基板を懸架する天井部を有する上部分が回動自在となるように、前記上部分の一方の側壁部を前記下部分の一方の側壁部に取り付けた構造とすることを特徴とする電子装置。
【請求項２】
前記プリント回路基板が制御回路基板であることを特徴とする請求項１記載の電子装置。
【請求項３】
コンプレッサーを備えてなる電力消費装置に用いる節電制御装置において、筐体及び前記筐体に嵌合する蓋体から形成されるケーシング内に、前記節電制御装置を用いることによって削減できた電力使用量に関する数値を表示する表示手段と、前記電力消費装置が消費する電力使用量を制御する制御回路基板と、前記制御回路基板と前記コンプレッサーを備えてなる電力消費装置とを電気的に接続するための外線端子台と、天井部及び二つの側壁部により形成された断面コ字型の架台とを収納し、前記制御回路基板は前記架台の天井部に懸架され、前記外線端子台は前記制御回路基板と対向する位置に配置固定されている節電制御装置であって、前記架台は、前記制御回路基板を懸架する天井部を有する上部分と前記上部分を支持する下部分とに前記二つの側壁部で分割されており、前記制御回路基板を懸架する天井部を有する上部分が回動自在となるように、前記上部分の一方の側壁部を前記下部分の一方の側壁部に取り付けた構造とすることを特徴とする節電制御装置。
【請求項４】
デマンド制御装置とコンプレッサーを備えてなる電力消費装置との間に設けることを特徴とする請求項３記載の節電制御装置。
【請求項５】
前記表示手段が、前記コンプレッサーの実稼働時間の累計を表示する表示器と前記コンプレッサーの稼働を制御した時間の累計を表示する表示器であることを特徴とする請求項３又は４記載の節電制御装置。
【請求項６】
前記表示手段が前記蓋体を通して外部から観察可能な構造とすることを特徴とする請求項３乃至５のいずれかに記載の節電制御装置。
【請求項７】
前記蓋体が透明素材から形成されていることを特徴とする請求項６記載の節電制御装置。
【請求項８】
防水構造とすることを特徴とする請求項３乃至７のいずれかに記載の節電制御装置。
【発明の詳細な説明】
【技術分野】
【０００１】
本発明は電子装置及び節電制御装置に関し、さらに詳しくは、配線作業がしやすく、取り扱いやすい構造とした電子装置及び節電制御装置に関する。
【背景技術】
【０００２】
電気機器を制御するための制御装置の装着は、顧客先の現場で配線作業する場合が少なくない。このような場合、カバー（蓋体）を取り外して、制御回路基板等のプリント回路基板の接続端子の端子番号や外線端子台の端子番号を注意深く確認しながら、外部の電気機器からの電線（外部電線ともいう）を外線端子台の端子に接続する必要がある。配線作業を容易に行うことができ、配線の保守点検を容易に行うことができる制御装置の従来例として、外部電線接続用端子台の主回路用外部電線接続用端子台を横方向に配置し、外部電線接続用端子台の二つの制御回路用外部電線接続用端子台を縦方向に配置し、且つ、主回路用外部電線接続用端子台と二つの制御回路用外部電線接続用端子台に段差を設けたインバータ装置が知られている（特許文献１参照）。
【０００３】
一方、空調設備、冷凍設備、冷蔵設備、冷却設備等のコンプレッサーを備えてなる電力消費装置に対する消費電力を削減する節電制御装置は数多く提案されている。例えば、消費電力の総合的省エネルギー化を達成することを目的とした、空調設備、冷凍設備、原動機設備及び照明設備に関する時間差制御によって順位制御を行うように設定したリレー・タイマー盤を備えてなる節電制御盤をデマンド制御装置に接続して消費電力のスケジュール制御とピークカット制御を行うことにより消費電力及び契約電力を低減するようにした節電制御装置（特許文献２参照）、冷蔵庫などに設ける冷却装置における冷却器用電動機が連続運転しないように制御することにより、電力消費を少なくし、節電すると共に、冷却器用電動機の運転時間が少なくなり、冷却器用電動機の寿命の信頼性を高める制御装置（特許文献３参照）、空調設備、冷凍設備、原動機設備、照明設備等の複数の電力消費装置において消費される総合的な電力の削減、総合的な省エネルギー化の達成を図ることを目的に、デマンド制御装置からの信号を受けて、前記複数の電力消費装置への電力の供給を順位づけて制御するリレーと、あらかじめ定められている時間ごとに前記複数の電力消費装置への電力の供給を制御するタイマーとを備えている節電制御装置（特許文献４参照）等が提案されている。
【特許文献１】特開平５−６２７２４号公報
【特許文献２】特開２００１−１９７６６１号公報
【特許文献３】特開平１１−２５７８２１号公報
【特許文献４】特開２００３−２３７２９号公報
【発明の開示】
【発明が解決しようとする課題】
【０００４】
特許文献１では、複数の外線端子台同志の干渉は防ぐことができるが、実際の配線作業に際しては、プリント基板が障害となるなど、さらなる改善の余地がある。特許文献２〜４においては、節電制御装置がどのような構造の装置になっているのかということについては、具体的な開示ないしは示唆はない。したがって、本発明は、以上のことに鑑みてなされたものであって、本発明が解決しようとする課題は、制御回路基板等のプリント回路基板の接続端子と外線端子台の端子との配線作業や、外部電線と外線端子台の端子との配線作業を容易に行うことができ、また、配線の保守点検を容易に行うことができる電子装置及び節電制御装置を提供することにある。
【課題を解決するための手段】
【０００５】
本発明の前記課題は、以下の各発明によって達成される。即ち、第１項に記載の発明の電子装置は、筐体及び前記筐体に嵌合する蓋体から形成されるケーシング内に、プリント回路基板と、前記プリント回路基板とケーシング外部の電気機器とを電気的に接続するための外線端子台と、天井部及び二つの側壁部により形成された断面コ字型の架台とを収納し、前記プリント回路基板は前記架台の天井部に懸架され、前記外線端子台は前記プリント回路基板と対向する位置に配置固定されている電子装置であって、前記架台は、前記プリント回路基板を懸架する天井部を有する上部分と前記上部分を支持する下部分とに前記二つの側壁部で分割されており、前記プリント回路基板を懸架する天井部を有する上部分が回動自在となるように、前記上部分の一方の側壁部を前記下部分の一方の側壁部に取り付けた構造とすることを特徴とする。第２項に記載の電子装置は、前記第１項記載の電子装置において、前記プリント回路基板が制御回路基板であることを特徴とする。
【０００６】
第３項記載の節電制御装置は、コンプレッサーを備えてなる電力消費装置に用いる節電制御装置において、筐体及び前記筐体に嵌合する蓋体から形成されるケーシング内に、前記節電制御装置を用いることによって削減できた電力使用量に関する数値を表示する表示手段と、前記電力消費装置が消費する電力使用量を制御する制御回路基板と、前記制御回路基板と前記コンプレッサーを備えてなる電力消費装置とを電気的に接続するための外線端子台と、天井部及び二つの側壁部により形成された断面コ字型の架台とを収納し、前記制御回路基板は前記架台の天井部に懸架され、前記外線端子台は前記制御回路基板と対向する位置に配置固定されている節電制御装置であって、前記架台は、前記制御回路基板を懸架する天井部を有する上部分と前記上部分を支持する下部分とに前記二つの側壁部で分割されており、前記制御回路基板を懸架する天井部を有する上部分が回動自在となるように、前記上部分の一方の側壁部を前記下部分の一方の側壁部に取り付けた構造とすることを特徴とする。
【０００７】
第４項記載の節電制御装置は、第３項記載の節電制御装置において、デマンド制御装置とコンプレッサーを備えてなる電力消費装置との間に設けることを特徴とする。第５項記載の節電制御装置は、第３項又は第４項記載の節電制御装置において、前記表示手段が、前記コンプレッサーの実稼働時間の累計を表示する表示器と前記コンプレッサーの稼働を制御した時間の累計を表示する表示器であることを特徴とする。第６項記載の節電制御装置は、第３項乃至第５項のいずれかに記載の節電制御装置において、前記表示手段が前記蓋体を通して外部から観察可能な構造とすることを特徴とする。第７項記載の節電制御装置は、第６項記載の節電制御装置において、前記蓋体が透明素材から形成されていることを特徴とする。第８項記載の節電制御装置は、第３項乃至第７項のいずれかに記載の節電制御装置において、防水構造とすることを特徴とする。
【発明の効果】
【０００８】
本発明に係る電子装置は、筐体及び前記筐体に嵌合する蓋体から形成されるケーシング内に収納されている、天井部及び二つの側壁部により形成された断面コ字型の架台が、プリント回路基板を懸架する上部分と前記上部分を支持する下部分とに前記二つの側壁部で分割されており、前記プリント回路基板を懸架する上部分が回動自在となるように、前記上部分の一方の側壁部を前記下部分の一方の側壁部に取り付けた構造としたので、プリント回路基板の接続端子と外線端子台の端子との配線作業や外部電線を外線端子台の端子に接続するといった配線作業を容易に行うことができる。また、配線の保守点検も容易に行うことができるという優れた効果を奏するものである。
【０００９】
本発明の節電制御装置は、筐体及び前記筐体に嵌合する蓋体から形成されるケーシング内に収納されている、天井部及び二つの側壁部により形成された断面コ字型の架台が、電力使用量を制御する制御回路基板を懸架する上部分と前記上部分を支持する下部分とに前記二つの側壁部で分割されており、前記制御回路基板を懸架する上部分が回動自在となるように、前記上部分の一方の側壁部を前記下部分の一方の側壁部に取り付けた構造とするもので、このような構造としたので、電力使用量を制御する制御回路基板の接続端子と外線端子台の端子との配線作業や外部電線を外線端子台の端子に接続するといった配線作業を容易に行うことができる。また、配線の保守点検も容易に行うことができる。
【００１０】
本発明の節電制御装置は、節電制御装置を用いることによって削減できた電力使用量に関する数値を表示する表示手段を収納し、外部からこの表示手段を観察できる構造にすることにより、消費電力の削減による省エネルギーをひと目で確認することができる。さらに、本発明の節電制御装置を防水構造とすれば、外部からの雨水や塵埃を侵入を防ぎ、これらに起因する故障を回避することができる。
【発明を実施するための最良の形態】
【００１１】
コンプレッサーを備えてなる電力消費装置としては、例えば、冷暖房等の空調設備、冷凍設備、冷蔵設備、冷却設備などを挙げることができる。また、これらのコンプレッサーを備えてなる電力消費装置は、デマンド制御装置を用いることもできる。このような場合は、本発明の節電制御装置は、デマンド制御装置とコンプレッサーを備えてなる電力消費装置との間に設ける。
【００１２】
以下、図面に基づいて本発明を説明する。図１は、本発明の一実施形態であるコンプレッサーを備えてなる電力消費装置に用いる節電制御装置の内部を露出させた状態の斜視図である。図１において、筐体１は、コンプレッサーの実稼働時間の累計を表示する表示器３とコンプレッサーの稼働を制御した時間の累計を表示する表示器４、電力消費装置が消費する電力使用量を制御する制御回路基板５（以下、特に断りのない限り、電力消費装置が消費する電力使用量を制御する制御回路基板を、単に制御回路基板いう）、外線端子台６、架台７を収納している。コンプレッサーの実稼働時間の累計を表示する表示器３とコンプレッサーの稼働を制御した時間の累計を表示する表示器４は、基台１２（図３参照）に固定されている。
【００１３】
架台７は、右側壁部（右側壁部７１と右側壁部７２からなる）及び左側壁部（左側壁部７４と左側壁部７５からなる）の二つの側壁部と天井部７３により形成された断面コ字型の形状をしている。天井部７３には、４つの支柱１４を介して制御回路基板５が懸架されている。さらに、架台７は、制御回路基板５を懸架する天井部７３を有する上部分（天井部７３、右側壁部７２と左側壁部７５からなるもので、以下、上部分という。）と、上部分を支持する下部分（右側壁部７１と左側壁部７４からなるもので、以下、下部分という。）とに分割されている。そして、制御回路基板５を懸架する天井部７３を有する上部分の左側壁部７５は、下部分の左側壁部７４に二つの蝶番７６で取り付けられた構造としたので、制御回路基板５を懸架する天井部７３を有する上部分は回動自在となる。また下部分の左側壁部７４は、取付部７８で折り曲げられて基台１２にねじ１６で固定されている。また、右側壁部７１も同様に基台１２に固定されている。制御回路基板５を懸架する天井部７３を有する上部分の右側壁部７２は、下部分の右側壁部７１に係合する係合部７７が形成されている。
【００１４】
制御回路基板５を懸架する天井部７３を有する上部分の右側壁部７２の高さと左側壁部７５の高さは同じであり、また、下部分の右側壁部７１の高さと左側壁部７４の高さは同じである。架台７を形成する素材として、アルミニウム、ステンレス等の金属、ポリエチレン（ＰＥ）、ポリスチレン（ＰＳ）、ＡＢＳ樹脂等の汎用プラスチック、ポリアミド（ＰＡ）、ポリカーボネート（ＰＣ）、ポリブチレンテレフタレート（ＰＢＴ）、ポリアセタール等のエンジニアリング・プラスチックを用いることができる。加工の容易さの観点から、アルミニウムが好ましい。架台７は上部分と下部分とに分割された構造とするが、一部材で形成した架台を切断して形成しても、あるいは上部分と下部分を別部材で形成してもよい。
【００１５】
図１では、説明の便宜上、制御回路基板５を懸架する架台７は、制御回路基板５を懸架する天井部７３を有する上部分を回動して、開いた状態としている。節電制御装置として使用するときは、係合部７７が右側壁部７１に係合し、制御回路基板５を懸架する天井部７３を有する上部分は閉じた状態となっている。このような状態で、外線端子台６は制御回路基板５と対向する位置に、固定部１３で基台１２に配置固定されている。コンプレッサーの実稼働時間の累計を表示する表示器３とコンプレッサーの稼働を制御した時間の累計を表示する表示器４、天井部７３に制御回路基板５を懸架する架台７，及び外線端子台６を固定載置している基台１２は、筐体１の底部にねじ（図示せず）で固定されている。制御回路基板５に接続されている電線１１は、外線端子台６の一方の端子に接続されている。コンプレッサーを備えてなる電力消費装置（図示せず）に接続している外部電線１５が、外線端子台６の他方の端子に接続されている。外部電線１５を外線端子台６の端子に接続する際には、筐体１の側面に設けた切欠部８の任意の一つを開穴する。開穴した切欠部８に防水・防塵対策用のコネクタを使用して配線することが好ましい。外部電線１６を外線端子台６の端子に接続するときは、図１に示すように制御回路基板５を懸架する天井部７３を有する上部分を回動し開いた状態で行うので、外線端子台６の端子番号の確認が容易となり、配線作業の効率があがる。
【００１６】
図２は、本発明の一実施形態である節電制御装置の外観を示す斜視図である。図２に示すように、節電制御装置Ｉの外観は、複数の切欠部８を有する筐体１に透明部材で形成された蓋体２が嵌合しているケーシング構造となっている。制御回路基板５は支柱１４を介して架台７の天井部７３に懸架されており、外線端子台６が制御回路基板５と対向する位置に配置固定されている状態を観察することができる。筐体１を形成する主要材料として、ポリエチレン（ＰＥ）、ポリスチレン（ＰＳ）、ＡＢＳ樹脂等の汎用プラスチック、ポリアミド（ＰＡ）、ポリカーボネート（ＰＣ）、ポリブチレンテレフタレート（ＰＢＴ）、ポリアセタール等のエンジニアリング・プラスチックを用いることができる。また、これらのプラスチック素材に顔料等を混入させて不透明としてもよい。また、筐体１を形成する主要材料としては、アルミニウム、ステンレスなどの金属でもよい。蓋体２は、透明素材を用いることにより、表示器３及び４を外部から観察することができる。透明素材としては、透明なプラスチックが好ましく、例えば、アクリル樹脂やポリカーボネート樹脂等が用いられる。
【００１７】
蓋体２は、その内周面に筐体１に嵌合する突起状端を形成し、突起状端に沿って形成された環状溝にガスケットを設けることができる。ガスケットを設けることにより、節電制御装置Ｉを防水構造とすることができる。本発明の節電制御装置は、防水・防塵対策が施されていることが好ましく、特にＩＰ−６５保護等級をクリアするレベルであることが好ましい。ガスケット素材としてはＯリングでもシリコーン発泡体のようなガスケット発泡体でもよいが、シリコーン発泡体のようなガスケット発泡体が好ましい。ガスケットが設けられた蓋体を製作する方法としては、例えば、特開平６−９９５０９号公報に記載のシリコーン発泡体の製造装置を利用することができる。蓋体２は不透明素材を用いて形成してもよい。不透明素材を用いる場合は、表示器３及び４が対向する蓋体の面は開口部として、その開口部にポリアミド等の透明プラスチックで形成された透明板をガスケット等の防水機能を持った部材を介在させて装着することが好ましい。別の態様としては、本発明の節電制御装置を用いることによって削減できた電力使用量に関する数値を表示する表示手段を、蓋体に設けることもできる。この場合は、７セグメントＬＥＤ素子を用いた表示素子などを表示手段として用いることができる。
【００１８】
図３は、本発明の一実施形態である節電制御装置の内部を露出させた別の状態の斜視図である。図３において、制御回路基板５の端子１０を、制御回路基板５を懸架する天井部７３を有する上部分が回動する中心近傍に配置し、外線端子台６の端子の向きを、制御回路基板５の端子１０と平行になるように外線端子台６を基台１２に配置固定する。このように制御回路基板５の端子１０及び外線端子台６を配設することにより、制御回路基板５に接続している電線１１を短くすることができので、電線が絡み合わないといった利点がある。外部電線（図示せず）は、架台７の下部分の右側壁部７１に開けた穴７９を通して外線端子台６の端子に接続する。本発明の節電制御装置を用いることによって削減できた電力使用量に関する数値を表示する表示手段として、図１〜図３では、コンプレッサーの実稼働時間の累計を表示する表示器３とコンプレッサーの稼働を制御した時間の累計を表示する表示器４を例示した。本発明の節電制御装置は、コンプレッサーを備えてなる電力消費装置が消費する電力を削減し、省エネルギー化を達成することができ、また、消費電力の削減による省エネルギーを一目で確認できる。消費電力の削減による省エネルギーは、コストダウン、地球温暖化防止に寄与する二酸化炭素排出量削減と密接な関連がある。したがって、節電制御装置を用いることによって削減できた電力使用量に関する数値としては、消費電力の削減量、消費電力の削減率、消費電力を削減できたことによるコストダウン金額、消費電力を削減できたことによるに二酸化炭素換算量などを例示することができる。この点に着目して、本発明の節電制御装置を用いることによって削減できた電力使用量に関する数値を表示する表示手段として、コンプレッサーの実稼働時間の累計を表示する表示器と前記コンプレッサーの稼働を制御した時間の累計を表示する表示器の他に、節電制御装置を用いることによって削減できた電力使用量の削減率を表示する表示器、コストダウンできた金額を表示する表示器、削減できた二酸化炭素排出量を表示する表示器とすることもできる。コストダウンできた金額を表示する表示器、削減できた二酸化炭素排出量を表示する表示器とするときには、本発明の節電制御装置を用いるコンプレッサーを備えてなる電力消費装置に応じた数値を組み込んだ計算式ないしは換算式を格納するＲＯＭ（リードオンリーメモリ）を、制御回路基板に搭載することができる。
【００１９】
本発明の節電制御装置を用いることによって削減できた電力使用量に関する数値を表示する表示手段としては、コンプレッサーの実稼働時間の累計を表示する表示器とコンプレッサーの稼働を制御した時間の累計を表示する表示器だけでもよく、電力使用量の削減率を表示する表示器、コストダウンできた金額を表示する表示器及び削減できた二酸化炭素排出量を表示する表示器の少なくとも一つを組み合わせることもできる。また、コンプレッサーの実稼働時間の累計を表示する表示器とコンプレッサーの稼働を制御した時間の累計を表示する表示器の代わりに、電力使用量の削減率を表示する表示器、コストダウンできた金額を表示する表示器及び削減できた二酸化炭素排出量を表示する表示器の少なくとも一つとしてもよい。節電制御装置を用いることによって削減できた電力使用量に関する数値を表示する表示手段を、コンプレッサーの実稼働時間の累計を表示する表示器及びコンプレッサーの稼働を制御した時間の累計を表示する表示器とした場合には、消費電力の削減率、コストダウンできた金額、削減できた二酸化炭素排出量を求める計算式又は換算式を表示した印刷物を、節電制御装置に貼付することもできる。蓋体が透明な場合には、節電制御装置の内側面に印刷物を貼付することが好ましい。コンプレッサーの実稼働時間の累計値及び／又はコンプレッサーの稼働を制御した時間の累計値を利用して、下記に示す計算式又は換算式を用いて、消費電力の削減率、コストダウンできた金額及び削減できた二酸化炭素排出量を求めることができる。電力使用量の削減率を求める計算式は、コンプレッサーの稼働を制御した時間の累計値÷（コンプレッサーの稼働を制御した時間の累計値＋コンプレッサーの実稼働時間の累計値）である。コストダウンできた金額を求める計算式は、コンプレッサーの稼働を制御した時間の累計値×コンプレッサー容量×１．５（係数）×料金単価である。削減できた二酸化炭素排出量を求める換算式は、コンプレッサーの実稼働時間の累計値（時間：ｈ）×定格消費電力（ｋＷ）×二酸化炭素排出係数（ｋｇ／ｋＷ・ｈ）＝ＣＯ２量（ｋｇ）である。なお、二酸化炭素排出係数としては、例えば０．３５７（ｋｇ／ｋＷ・ｈ）の数値を用いることができる。
【００２０】
次に、本発明の節電制御装置の利用例を示す。本発明の節電制御装置を業務用空調機（コンプレッサーの容量５．５ｋＷ）の屋外機に設置した。空調機に接続されている外部電線を外線端子台に簡単に接続することができたので、極めて短時間で設置工事が完了した。２００３年７月２４日に設置し、同年８月６日に調査した。コンプレッサーの実稼働時間の累計を表示する表示器は２４．３時間を表示しており、コンプレッサーの稼働を制御した時間の累計を表示する表示器は１１．９時間を表示していた。これらの数値から、削減率は３２．９％である（１１．９÷（１１．９＋２４．３）＝０．３２９）。また、コストダウンできた金額は１４７３円である（１１．９×５．５×１．５×１５＝１４７２．６  ここで、料金単価はｋＷ当たり１５円とした。）。さらに、二酸化炭素排出量は４７．７ｋｇである（２４．３×５．５×０．３５７＝４７．７）。また、本発明の節電制御装置はＩＰ−６５保護等級の防水・防塵対策が施されているので、雨水や塵埃などの侵入による影響は全くなかった。本発明の一実施形態であるコンプレッサーを備えてなる電力消費装置に用いる節電制御装置について詳細に説明した。本発明の他の実施形態の電子装置としては、プリント回路基板として制御回路基板を用いたインバータ装置をあげることができる。本発明の一実施形態であるコンプレッサーを備えてなる電力消費装置に用いる節電制御装置では、断面コ字状架台に懸架する制御回路基板は一つのもを例示した。断面コ字状架台に懸架するプリント回路基板ないしは制御回路基板は二つ以上懸架させてもよい。また、プリント回路基板ないしは制御回路基板と対向する位置に配置固定されている外線端子台の数も複数個以上でもよい。
【図面の簡単な説明】
【００２１】
【図１】本発明の一実施形態である節電制御装置の内部を露出させた状態の斜視図である。
【図２】本発明の一実施形態である節電制御装置の外観を示す斜視図である。
【図３】本発明の一実施形態である節電制御装置の内部を露出させた別の状態の斜視図である。
【符号の説明】
【００２２】
Ｉ  節電制御装置
１  筐体
２  蓋体
３、４  表示器
５  制御回路基板
６  外線端子台
７  架台
７１、７２、７４、７５  側壁部
７３  天井部
７６  蝶番
７７  係合部
７８  取付部
７９  穴
８  切欠部
１０  端子
１１  電線
１２  基台
１３  固定部
１４  支柱
１５  外部電線
【図１】
2005310877.tif 000003
【図２】
2005310877.tif 000004
【図３】
2005310877.tif 000005